(57)【要約】      （修正有）【課題】靴の形状を支持するほか、靴の中の臭いの吸着や除湿機能を備えた履物用保形具を提供する。【解決手段】履物用保形具であって、形状が靴の内部空間に対応する本体を含み、本体内に収容空間が形成され、収容空間底部に複数の通気孔が形成された底蓋が設置され、且つ底蓋と収容空間底部が分離、結合自在であり、収容空間に充填材料を入れた後、底蓋により充填材料を収容空間内に封鎖でき、本体外縁にも少なくとも１つ以上の通気孔が設けられ、充填材料が本体と底蓋の通気孔を介してその効果を発揮し、底蓋の下端に少なくとも１つ以上の支持柱が設置され、履物用保形具を靴の内部空間に設置したとき、支持柱の支持により、本体と靴内面底部間に間隙が形成され、充填材料の発揮する効果が大幅に向上される。【選択図】図１
0003144608.tif 000002
【実用新案登録請求の範囲】
【請求項１】
履物用保形具であって、形状が靴の内部空間に対応する本体を含み、前記本体内に充填材料を収容するための収容空間が設けられ、前記本体底部に底蓋が設置され、前記底蓋上に複数の通気孔が形成され、前記本体外縁にも少なくとも１つ以上の通気孔が設けられ、前記底蓋の下端に少なくとも１つ以上の支持柱が設置されたことを特徴とする、履物用保形具。
【請求項２】
前記底蓋が本体底部と分離、結合が自在であることを特徴とする、請求項１に記載の履物用保形具。
【請求項３】
前記本体と前記底蓋が一体成型で成ることを特徴とする、請求項１に記載の履物用保形具。
【請求項４】
前記底蓋上に槽体が設けられ、前記槽体上に通気孔が形成されたことを特徴とする、請求項１に記載の履物用保形具。
【請求項５】
履物用保形具であって、形状が靴の内部空間に対応する本体を含み、前記本体内に収容空間が設けられ、前記収容空間内に充填材料が収容され、前記本体一側に充填口が設けられ、かつ前記充填口の外側にキャップが螺合され、前記本体外縁に少なくとも１つ以上の通気孔が設けられ、前記本体下端に少なくとも１つ以上の支持柱が設置されたことを特徴とする、履物用保形具。
【請求項６】
前記キャップが充填口と分離、結合が自在であることを特徴とする、請求項５に記載の履物用保形具。
【請求項７】
前記底蓋上に槽体が設けられ、かつ前記槽体上に通気孔が形成されたことを特徴とする、請求項５に記載の履物用保形具。
【考案の詳細な説明】
【技術分野】
【０００１】
本考案は履物用保形具に関し、特に靴の形状を支持するほか、靴の中の臭いの吸着や除湿機能を備えた履物用保形具に関する。
【背景技術】
【０００２】
靴は人々の生活の中で欠かすことのできない物品であり、実用的機能のほか装飾的特色も兼ね備えているため、人々は靴を履いたときの快適性だけではなく、靴の形状の美観保持も考慮しなければならない。
【０００３】
現在靴は主に柔軟な胛被面と耐磨耗性の靴底から構成され、両者を縫製または接着して靴が形成されている。胛被面は着用時に足によって支持され、豊満な流線型の形状が形成されるが、支持を失うと胛被面は下方に向かって陥没してしまい、特に靴の生産、保管と運送、展示販売時に容易に操作の問題を生じ、胛被面の変形が引き起こされ、靴の外観に影響してしまう。
【０００４】
上述の問題を克服するため、これまでメーカーの多くは加工済みの靴の内部空間内に丸めた古紙を詰めて靴の形状を保護してきたが、丸めた古紙は形が定まらず、且つ靴の胛被とも合わないため、熟練した作業員でなければうまく扱えず、また大量の古紙を準備する必要があるため、生産において極めて不便であり、製造コストの増加を招いている。
【０００５】
このため、現在業者は一体成型の履物用保形具を開発し、靴を支持するという目的を達している。しかしながら、履物用保形具は往々にして靴の販売に伴って使用されるのみであり、使用者が使用するときに履物用保形具を外した後、履物用保形具を再度使用することはなく、資源の無駄となっている、このため、履物用保形具の実用性をいかに向上するかが、現在克服が必要な問題となっている。
【０００６】
このことから分かるように、上述の従来の履物用保形具にはまだ多くの欠点があり、優れた設計とはいえないため、改良が待たれている。
【０００７】
本考案の考案者は、上述の従来の履物用保形具に派生する各種欠点に鑑みて、改良を施すべく長年の研究を経てついに本考案の履物用保形具の開発に至ったものである。
【考案の開示】
【考案が解決しようとする課題】
【０００８】
本考案の目的は、底蓋と本体の嵌合設置により、本体内の収容空間の充填材料が底蓋によって封鎖固定される、履物用保形具を提供することにある。
【０００９】
本考案の別の目的は、底蓋の支持柱の設置により、履物用保形具を靴の内部空間に設置したとき、支持柱の設置によって本体と靴の内面底部に間隙を形成することができる、履物用保形具を提供することにある。
【課題を解決するための手段】
【００１０】
本考案の履物用保形具は、本体を含み、前記本体の形状が靴の内部空間に対応しており、本体内に収容空間が設けられ、収容空間底部に底蓋が設置され、底蓋上に複数の通気孔が設けられ、且つ底蓋は本体底部と分離または結合が自在であり、収容空間内に充填材料を入れた後、底蓋により充填材料が封鎖され、本体外縁にも少なくとも１つ以上の通気孔が設けられ、充填材料が本体及び底蓋の通気孔を介して除臭や除湿、芳香等その効果を発揮することができ、底蓋の下端に少なくとも１つ以上の支持柱が設けられ、履物用保形具を靴の内部空間に設置したとき支持柱の支持で本体と靴の内面底部との間に間隙が形成され、充填材料の効果を大幅に向上することができる。
【００１１】
このほか、本考案の本体は底部に底蓋を設置して充填材料の注入と封鎖を行うことができるだけでなく、本体の一側に充填口を設け、充填口と本体の収容空間を相通させ、充填口の外にキャップを設置し、キャップと充填口を相互に組み合わせ、充填材料の注入と封鎖の目的を達することもできる。
【００１２】
また、本考案の底蓋の構造は片体とできるほか、底蓋上に槽体を設けてもよく、かつ槽体上に通気孔を設け、槽体の設置により履物用保形具の構造剛性強度を高め、支持の安定性を向上することができる。
【００１３】
このほか、本体に充填材料を装填した後、底蓋と一体成型としてもよく、異なる使用環境に応じて変化させ、製造することができ、製造コストと組み立て時間を抑えることができる。
【考案の効果】
【００１４】
本考案の履物用保形具は、靴の形状を支持するほか、靴の中の臭いの吸着や除湿、芳香機能を発揮することができる。
【実施例１】
【００１５】
図１から図４に本考案の履物用保形具の立体分解図、立体外観図及び側面図をそれぞれ示す。本考案は本体１を含み、前記本体１の形状は靴の内部空間に対応しており、本体１内に収容空間１１が設けられ、収容空間１１底部に底蓋１２が設置され、底蓋１２上には複数の通気孔１３が設けられ、且つ底蓋１２は本体１の底部と分離、結合が自在であり、収容空間１１内に充填材料２を入れた後、底蓋１２で充填材料２を封鎖し、さらに本体１外縁にも少なくとも１つ以上の通気孔１３が設けられ、充填材料２が本体１及び底蓋１２の通気孔１３を介してその効果を発揮することができる。本体１外縁の通気孔１３は従来の円孔とすることができるほか、模様をかたどった通気孔１３としてもよく、履物用保形具の全体の外観を大幅に向上することができる。また、上述の充填材料２は茶葉、乾燥剤、芳香剤などとすることができ、除臭、除湿、芳香等の機能を発揮させることができる。底蓋１２の下端には少なくとも１つ以上の支持柱１２１が設けられ、履物用保形具を靴の内部空間に設置したとき、支持柱１２１の支持によって本体１と靴内面底部との間に間隙を形成し、充填材料２が発揮する効果を大幅に向上することができる。
【実施例２】
【００１６】
図５に本考案の履物用保形具の別の実施例の立体図を示す。本考案の本体１は底部に底蓋１２を設置して充填材料２の注入と封鎖ができるだけでなく、本体１の一側に充填口１４を設置し、充填口１４と本体１の収容空間１１を相通させ、充填口１４の外側にキャップ１５を設置し、キャップ１５と充填口１４の相互の組み合わせにより、充填材料２の注入と封鎖の目的を達することができ、上述の充填口１4とキャップ１５はねじ構造で螺合して固定することができる。
【実施例３】
【００１７】
図６に本考案の履物用保形具のさらに別の実施例の立体図を示す。本考案の本体１底部に設置される底蓋１２は、その構造を片体とできるだけでなく、底蓋１２上に槽体１２２を設け、槽体１２２上に通気孔１３を形成することもでき、槽体１２２の設置により、履物用保形具の構造剛性強度をより高め、支持の安定性をさらに向上することができる。上述の槽体１２２は凸槽または凹槽の構造とすることができる。
【００１８】
このほか、本体に充填材料２を装填した後、底蓋１２と一体成型として製造することもでき、異なる使用環境に基づいて変化させ、製造することで、製造コストと組み立て時間を抑えることができる。
【００１９】
上述の詳細な説明は本考案の最良の実施例に基づく具体的な説明であり、前記実施例は本考案の特許範囲を制限するものではなく、本考案の技術的要旨を逸脱しない同等効果を持つ実施や変更はすべて本考案の特許範囲に含まれるものとする。
【００２０】
上述をまとめると、本考案は空間形態上新規的であるだけでなく、従来品と比較して上述のように多項目の効果を増進することができ、新規性と進歩性という法定特許要件を満たしているため、法に基づきここに出願を提出するものであり、当局には本出願案を批准していただけるよう願うものである。
【図面の簡単な説明】
【００２１】
【図１】本考案の履物用保形具の立体分解図である。
【図２】本考案の履物用保形具の立体外観図である。
【図３】本考案の履物用保形具の側面図である。
【図４】本考案の履物用保形具の本体通気孔の別の形態を示す立体図である。
【図５】本考案の履物用保形具の別の実施例の立体図である。
【図６】本考案の履物用保形具のさらに別の実施例の立体図である。
【符号の説明】
【００２２】
１        本体
１１      収容空間
１２      底蓋
１２１    支持柱
１２２    槽体
１３      通気孔
１４      充填口
１５      キャップ
２        充填材料
【図１】
0003144608.tif 000003
【図２】
0003144608.tif 000004
【図３】
0003144608.tif 000005
【図４】
0003144608.tif 000006
【図５】
0003144608.tif 000007
【図６】
0003144608.tif 000008